(57)【要約】      （修正有）【課題】各種ファンヒーターの温風空気取入口にフィルター付回転ゴミ取り円板とゴミ取り装置付温風空気取入口カバーを設けファンヒーター本体内蔵のモーターとマイクロコンピューター制御によりゴミ取り円板を回転させ、暖房運転前にフィルターに付着したゴミを自動的に除去しゴミの蓄積による暖房運転中断を防止し、人手により掃除機やほうき等でゴミを除去しなければならない煩わしさを解決する為の装置を提供する。【解決手段】ファンヒーター本体背面９の温風空気取入口に歯車付ゴミ取り円板４を設け回転軸３とフィルター５を設置し、ファンヒーター本体内蔵モーターと歯車付ゴミ取り円板回転駆動用歯車２を接続し歯車付ゴミ取り円板４の外周部に接する様に設置する。次にゴミ取り装置付温風空気取入口カバー内部にゴミ取りブラシ７を設け温風空気取入口にこのカバーを設ける。【選択図】図１
0003135485.tif 000002
【実用新案登録請求の範囲】
【請求項１】
（イ）  ガス及び石油ファンヒーター本体背面の温風空気取入口に歯車ゴミ取り円板４を設ける。
（ロ）  歯車付ゴミ取り円板４の中心に回転軸３を設け、ファンヒーター本体背面９の温風空気取入口に設置する。
（ハ）  歯車付ゴミ取り円板４の表面にフィルター５を設ける。
（ニ）  ファンヒーター本体背面９に歯車付ゴミ取り円板回転駆動用歯車２を設け、歯車付ゴミ取り円板４の外周歯車部に接するように固定する。
（ホ）  ファンヒーター本体内部に歯車付ゴミ取り円板回転駆動モーター１を設け、歯車付ゴミ取り円板回転駆動用歯車２と接続する。
（ヘ）  ゴミ取り装置付温風空気取入口カバー６の内側にゴミ取りブラシ７を設ける。
（ト）  ゴミ取り装置付温風空気取入口カバー６の外側にゴミ落下防止板８を設ける。
（チ）  ファンヒーター本体背面９の温風空気取入口にゴミ取り装置付温風空気取入口カバー６を設ける。
（リ）  ファンヒーター本体内蔵のマイクロコンピューターのインターフェイス回路と歯車付ゴミ取り円板回転駆動モーター１を接続する。
以上の如く構成されたガス及び石油ファンヒーターの温風空気取入口ゴミ取り装置。
【考案の詳細な説明】
【発明の詳細な説明】
【技術分野】
【０００１】この発明は、ガス及び石油ファンヒーターの温風空気取入口にゴミ取り装置を設けてファンヒーター本体に内蔵されたモーターをマイクロコンピューターにて回転を制御し、暖房運転時に温風空気取入口に付着するゴミを自動的に除去する装置に関するものである。
【背景技術】
【０００２】従来のガス及び石油ファンヒーターは、温風空気取入口にゴミ取りフィルターを設け暖房運転時に温風空気取入口に付着してしまうゴミを取り除き、ファンヒーター本体内部にゴミが進入するのを防いでいた。この場合、このまま暖房運転を継続するとフィルターにゴミが多量に蓄積され、温風空気取入の障害となりファンヒーター本体内蔵のマイクロコンピューターの制御プログラムによって暖房運転中であっても安全の為、ファンヒーターの暖房運転を停止させていた。この様な事象を防止する為に、フィルターに付着したゴミは人手により掃除機やほうき等の用具を用いて、暖房運転停止時に取り除いていた。
【発明が解決しようとする課題】
【０００３】この発明は、ガス及び石油ファンヒーターで居室の暖房を行う場合に温風空気取入口に設置したフィルターに蓄積されるゴミを人手により、掃除機やほうき等の用具を用いて取り除かなければならない煩わしさや、ゴミを取らず長時間暖房運転を続けた場合、安全の為ファンヒーター本体のマイクロコンピューターの制御プログラムにより暖房運転を停止させてしまう事象を防止する為発明された物である。
【課題を解決するための手段】
【０００４】いま、その構成を説明すると
（イ）  ファンヒーター本体背面９の温風空気取入口に歯車付ゴミ取り円板４を設ける。
（ロ）  歯車付ゴミ取り円板４の中心に回転軸３を設けファンヒーター本体背面９の温風空気取入口に設置する。
（ハ）  歯車付ゴミ取り円板４の表面にフィルター５を設ける。
（ニ）  ファンヒーター本体背面９に歯車付ゴミ取り円板回転駆動用歯車２を設け、歯車付ゴミ取り円板４の外周歯車部に接する様に固定する。
（ホ）  ファンヒーター本体内部に歯車付ゴミ取り円板回転駆動モーター１を設け歯車付ゴミ取り円板回転駆動用歯車２と接続する。
（ヘ）  ゴミ取り装置付温風空気取入口カバー６の内側にゴミ取りブラシ７を設ける。
（ト）  ゴミ取り装置付温風空気取入口カバー６の外側にゴミ落下防止板８を設ける。
（チ）  ファンヒーター本体背面９の温風空気取入口にゴミ取り装置付温風空気取入口カバー６を設ける。
（リ）  ファンヒーター本体内蔵のマイクロコンピューターのインターフェイス回路と歯車付ゴミ取り円板回転駆動モーター１を接続する。
以上のように装置する。
【発明の実施の形能】
【０００５】この発明は、以上のような構造であるから、これを使用する時は通常のガス及び石油ファンヒーターで居室を暖房する時と同じ様に、ファンヒーター本体の電源コードをコンセントに差し込み、ガス又は石油それぞれの燃料をガスはガス管より、石油は石油タンクに入れてファンヒーター本体に供給する。そしてファンヒーター本体の暖房運転起動スイッチをＯＮにする。電源が入った直後にマイクロコンピューターの制御プログラムにより、ゴミ取り装置付温風空気取入口カバー６の内側に設けたゴミ取りブラシ７の下面にゴミが溜まる様に歯車付ゴミ取り円板４を回転させる。フィルター５を全面のゴミが除去された後に、歯車付ゴミ取り円板４の回転を一時停止させる。この時点でゴミ取りブラシ７の下面にフィルター５に付着したゴミが溜っているのでこの集めたゴミをフィルターより除去する為、先程とは逆の方向に歯車付ゴミ取り円板４を回転させる。集められたゴミはゴミ取り装置付温風空気取入口カバー６の内側のゴミ取り装置部により除去され、ゴミ落下防止板８により床に落下する事なく塞き止められる。この後に燃料に着火され温風ファンが回転し、暖房運転が開始される。暖房を終了する場合、暖房運転停止スイッチをＯＮにして暖房を終了する。以後は暖房運転起動スイッチがＯＮになるたびにマイクロコンピューターの制御プログラムにより、一連のこれらの動作を繰り返す。そしてゴミ落下防止板８の所にゴミが溜った時点で人手により除去する。以上の様に使用すれば良い。
【発明の効果】
【０００６】したがって、このようにすれば、ゴミ取り装置付温風空気取入口カバーとマイクロコンピューター制御の歯車付ゴミ取り円板によって自動的にフィルターに付着したゴミが除去され、長時間、ゴミを取らず暖房運転を続けた場合の安全確保の為の暖房運転停止の事象を防止する事が可能となる。又、人手により掃除機やほうき等の用具を用いて、フィルターにゴミが蓄積されるたびに掃除しなければならない煩わしさを無くす事ができ、非常に快適に居室の暖房を行う事が出来るのである。
【図面の簡単な説明】
【図１】本発明の全体分割斜視図である。
【図２】本発明のゴミ取りブラシ設置済ゴミ取り装置付温風空気取入口カバーの斜視図である。
【図３】本発明のゴミ取り装置付温風空気取入口カバーの斜視図である。
【図４】本発明のゴミ取りブラシの斜視図である。
【図５】本発明のファンヒーター背面の温風空気取入口部の拡大斜視図である。
【図６】本発明のファンヒーター全体の背面斜視図である。
【符号の説明】
１    歯車付ゴミ取り円板回転駆動モーター
２    歯車付ゴミ取り円板回転駆動用歯車
３    回転軸
４    歯車付ゴミ取り円板
５    フィルター
６    ゴミ取り装置付温風空気取入口カバー
７    ゴミ取りブラシ
８    ゴミ落下防止板
９    ファンヒーター本体背面
【図１】
0003135485.tif 000003
【図２】
0003135485.tif 000004
【図３】
0003135485.tif 000005
【図４】
0003135485.tif 000006
【図５】
0003135485.tif 000007
【図６】
0003135485.tif 000008